(57)【特許請求の範囲】
【請求項１】
各々の裏面が相互に対向する折畳位置と各々の表面が実質的に同一平面上に位置付けられる使用位置との間を旋回しうるようヒンジ手段を介して相互に連結された一対の台フレームと、台フレームの各々の裏面に沿って延在する折畳位置と裏面側に延び出す使用位置との間を旋回しうるよう台フレームの各々に連結された一対の支柱フレームと、台フレームの各々の表面に沿って延在する折畳位置と表面側に延び出す使用位置との間を旋回しうるよう台フレームの各々に連結された一対の側部フレーム及び一対の後部フレームとを備え、後部フレームの各々には、屋根フレームが、後部フレームの各々の前面又は後面に沿って延在する折畳位置と前面側に延び出す使用位置との間を旋回しうるよう連結されている、
ことを特徴とする折畳式屋台店構造体。
【請求項２】
台フレームの各々は、実質的に矩形状をなすと共に一側縁部がヒンジ手段を介して相互に連結され、支柱フレームの各々の一端部は、対応する台フレームの裏面側の他側縁部に旋回自在に連結され、側部フレームの各々の一端部は、対応する台フレームの表面側の該他側縁部に旋回自在に連結され、後部フレームの各々の一端部は、対応する台フレームの表面側の後端部に旋回自在に連結され、屋根フレームの各々の一端部は、対応する後部フレームの他端部に旋回自在に連結されている、請求項１記載の折畳式屋台店構造体。
【請求項３】
台フレーム、支柱フレーム、側部フレーム、後部フレーム及び屋根フレームの各々は、複数個のパイプ部材を連結することによりそれぞれ一体に構成されている、請求項１又は請求項２記載の折畳式屋台店構造体。
【請求項４】
屋根フレームの各々には、補助屋根フレームが、屋根フレームの各々内に実質的に収納される収納位置と、屋根フレームの各々の他端から延び出す使用位置との間を移動自在に装着されている、請求項３記載の折畳式屋台店構造体。
【請求項５】
支柱フレームの各々の他端部における前端部及び後端部には、それぞれ、支柱フレームの各々が使用位置に位置付けられた状態で載置面に直接載置される支持部材が、支柱フレームの各々に対し分離自在にねじ係合され、支持部材の各々を回転させることにより支柱フレームの各々の全長が調整される、請求項２〜４のいずれか１項に記載の折畳式屋台店構造体。
【請求項６】
台フレームの各々の前端部及び後端部に沿って延在する折畳位置と支持フレームを使用位置に解除自在に固定する使用位置とに選択的に位置付けられるよう、支柱フレームの各々の前面部及び後面部、又は台フレームの各々の前端部及び後端部に連結されたそれぞれ一対のブレースを備えている、請求項２〜５のいずれか１項に記載の折畳式屋台店構造体。
【請求項７】
台フレームの各々において、側部フレームが折畳位置に位置付けられた状態で、折畳位置に位置付けられた屋根フレームと共に後部フレームが側部フレームに重合して折畳位置に位置付けられ、更に、台フレームの各々が折畳位置に位置付けられる、請求項２〜６のいずれか１項に記載の折畳式屋台店構造体。
【請求項８】
支柱フレーム、側部フレーム、屋根フレーム、後部フレームの各々が折畳位置に位置付けられた状態で、支柱フレーム、側部フレーム、屋根フレーム、後部フレームの各々は、台フレームの各々の周縁から実質的に突出しないような大きさに形成されている、請求項２〜７のいずれか１項に記載の折畳式屋台店構造体。
【請求項９】
台フレームの各々の該他側縁部には、少なくとも１個の車輪部材が該他側縁部から側方に突出するよう分離自在に配設され、支柱フレーム、側部フレーム、屋根フレーム、後部フレーム及び台フレームの各々が折畳位置に位置付けられた状態で、車輪部材の各々を介して載置面上に移動自在に載置される、請求項２〜８のいずれか１項に記載の折畳式屋台店構造体。
【請求項１０】
台フレームの各々において、少なくとも１個の車輪部材はキャスタから構成されている、請求項９記載の折畳式屋台店構造体。
【請求項１１】
支柱フレーム、側部フレーム、屋根フレーム、後部フレーム及び台フレームの各々が折畳位置に位置付けられた状態で、台フレームの各々の他側縁部間は連結手段により解除自在に連結される、請求項２〜１０のいずれか１項に記載の折畳式屋台店構造体。
【請求項１２】
側部フレームの各々の他端には受け部が形成され、側部フレーム、後部フレーム及び屋根フレームの各々が使用位置に位置付けられた状態で、屋根フレームの各々の一部は、対応する側部フレームの受け部に離脱自在に受け入れられて支持される、請求項２〜６のいずれか１項に記載の折畳式屋台店構造体。
【請求項１３】
屋根フレームの各々の該一部が、対応する側部フレームの受け部に離脱自在に受け入れられて支持された状態で、屋根フレームの各々の該一部と、対応する側部フレームの受け部との間は、連結手段により解除自在に連結される、請求項１２記載の折畳式屋台店構造体。
【請求項１４】
後部フレームの各々が使用位置に位置付けられた状態で、後部フレームの各々の一側縁部は相互に隣接して位置付けられ、相互に隣接する該一側縁部の一部間は、連結手段により解除自在に連結される、請求項２〜６、１２又は１３のいずれか１項に記載の折畳式屋台店構造体。
【請求項１５】
後部フレームの各々及び側部フレームの各々が使用位置に位置付けられた状態で、後部フレームの各々の他側縁部と、対応する側部フレームの後端部とは相互に隣接して位置付けられ、相互に隣接する後部フレームの各々の該他側縁部と、対応する側部フレームの該後端部の各々の一部間は、連結手段により解除自在に連結される、請求項２〜６、１２〜１４のいずれか１項に記載の折畳式屋台店構造体。
【発明の詳細な説明】
【０００１】
【産業上の利用分野】
本発明は、観光地、駅周辺等、人が集まる場所あるいは人が通行する場所において、土産物、農産物、海産物、その他の商品を販売するため等に利用される屋台店に適用することができる折畳式屋台店構造体に関する。
【０００２】
【従来の技術】
観光地、駅周辺等、人が集まる場所あるいは人が通行する場所において、種々の商品を販売するため等に利用される屋台店は、商品を陳列するための台、台を支える支柱、台を覆う屋根、台の上に屋根を支える支柱等から構成されている。屋台店を構成するこれらの部材は、木材及び／又は金属パイプ等からなる多くの単品から構成されている。そしてこれらの単品は、相互に分離された状態で設置場所に運搬され、設置場所においてボルト＆ナット等の連結具により相互に分離可能に連結され、所定の屋台店が組み立てられる。また、屋台店を撤去する場合には、屋台店を、屋台店を組み立てている上記した多くの単品に分解し、再び相互に分離された状態で運搬していた。
【０００３】
【発明が解決しようとする課題】
上記した従来の屋台店は、相互に分離された多くの単品から構成されているので、組立作業及び分解作業が煩雑であり、組立及び分解に多くの時間と労力を必要としていた。その結果、屋台店の設置及び撤去に多くの時間と労力を必要としていた。また、屋台店を構成する多くの単品に加えて更に、ボルト＆ナット等の連結具を多数必要とするので、これら多くの部材の運搬あるいは移動が困難となる。更にはまた、全体として部品点数が多くなり、重量が重く、コストが高くなる。更にはまた、多くの単品の保管及び取扱いが困難となる。
【０００４】
本発明の主目的は、屋台店を迅速かつ容易に設置しかつ迅速かつ容易に撤去することを可能にする、新規な折畳式屋台店構造体を提供することである。
【０００５】
本発明の他の目的は、部品点数が少なく、運搬あるいは移動が容易である、新規な折畳式屋台構造体を提供することである。
【０００６】
本発明の更に他の目的は、重量が軽く、低コストで製造することを可能にする、新規な折畳式屋台構造体を提供することである。
【０００７】
本発明の更に他の目的は、保管及び取扱いが容易である、新規な折畳式屋台店構造体を提供することである。
【０００８】
本発明のその他の目的及び特徴は、本発明に従って構成された折畳式屋台店構造体の実施形態について添付図面を参照して詳細に説明する後の記載から明らかになるであろう。
【０００９】
【課題を解決するための手段】
本発明によれば、各々の裏面が相互に対向する折畳位置と各々の表面が実質的に同一平面上に位置付けられる使用位置との間を旋回しうるようヒンジ手段を介して相互に連結された一対の台フレームと、台フレームの各々の裏面に沿って延在する折畳位置と裏面側に延び出す使用位置との間を旋回しうるよう台フレームの各々に連結された一対の支柱フレームと、台フレームの各々の表面に沿って延在する折畳位置と表面側に延び出す使用位置との間を旋回しうるよう台フレームの各々に連結された一対の側部フレーム及び一対の後部フレームとを備え、後部フレームの各々には、屋根フレームが、後部フレームの各々の前面又は後面に沿って延在する折畳位置と前面側に延び出す使用位置との間を旋回しうるよう連結されている、
ことを特徴とする折畳式屋台店構造体、が提供される。
【００１０】
台フレームの各々は、実質的に矩形状をなすと共に一側縁部がヒンジ手段を介して相互に連結され、支柱フレームの各々の一端部は、対応する台フレームの裏面側の他側縁部に旋回自在に連結され、側部フレームの各々の一端部は、対応する台フレームの表面側の該他側縁部に旋回自在に連結され、後部フレームの各々の一端部は、対応する台フレームの表面側の後端部に旋回自在に連結され、屋根フレームの各々の一端部は、対応する後部フレームの他端部に旋回自在に連結されている、ことが好ましい。
台フレーム、支柱フレーム、側部フレーム、後部フレーム及び屋根フレームの各々は、複数個のパイプ部材を連結することによりそれぞれ一体に構成されている、ことが好ましい。
屋根フレームの各々には、補助屋根フレームが、屋根フレームの各々内に実質的に収納される収納位置と、屋根フレームの各々の他端から延び出す使用位置との間を移動自在に装着されている、ことが好ましい。
支柱フレームの各々の他端部における前端部及び後端部には、それぞれ、支柱フレームの各々が使用位置に位置付けられた状態で載置面に直接載置される支持部材が、支柱フレームの各々に対し分離自在にねじ係合され、支持部材の各々を回転させることにより支柱フレームの各々の全長が調整される、ことが好ましい。
台フレームの各々の前端部及び後端部に沿って延在する折畳位置と支持フレームを使用位置に解除自在に固定する使用位置とに選択的に位置付けられるよう、支柱フレームの各々の前面部及び後面部、又は台フレームの各々の前端部及び後端部に連結されたそれぞれ一対のブレースを備えている、ことが好ましい。
台フレームの各々において、側部フレームが折畳位置に位置付けられた状態で、折畳位置に位置付けられた屋根フレームと共に後部フレームが側部フレームに重合して折畳位置に位置付けられ、更に、台フレームの各々が折畳位置に位置付けられる、ことが好ましい。
支柱フレーム、側部フレーム、屋根フレーム、後部フレームの各々が折畳位置に位置付けられた状態で、支柱フレーム、側部フレーム、屋根フレーム、後部フレームの各々は、台フレームの各々の周縁から実質的に突出しないような大きさに形成されている、ことが好ましい。
台フレームの各々の該他側縁部には、少なくとも１個の車輪部材が該他側縁部から側方に突出するよう分離自在に配設され、支柱フレーム、側部フレーム、屋根フレーム、後部フレーム及び台フレームの各々が折畳位置に位置付けられた状態で、車輪部材の各々を介して載置面上に移動自在に載置される、ことが好ましい。
台フレームの各々において、少なくとも１個の車輪部材はキャスタから構成されている、ことが好ましい。
支柱フレーム、側部フレーム、屋根フレーム、後部フレーム及び台フレームの各々が折畳位置に位置付けられた状態で、台フレームの各々の他側縁部間は連結手段により解除自在に連結される、ことが好ましい。
側部フレームの各々の他端には受け部が形成され、側部フレーム、後部フレーム及び屋根フレームの各々が使用位置に位置付けられた状態で、屋根フレームの各々の一部は、対応する側部フレームの受け部に離脱自在に受け入れられて支持される、ことが好ましい。
屋根フレームの各々の該一部が、対応する側部フレームの受け部に離脱自在に受け入れられて支持された状態で、屋根フレームの各々の該一部と、対応する側部フレームの受け部との間は、連結手段により解除自在に連結される、ことが好ましい。
後部フレームの各々が使用位置に位置付けられた状態で、後部フレームの各々の一側縁部は相互に隣接して位置付けられ、相互に隣接する該一側縁部の一部間は、連結手段により解除自在に連結される、ことが好ましい。
後部フレームの各々及び側部フレームの各々が使用位置に位置付けられた状態で、後部フレームの各々の他側縁部と、対応する側部フレームの後端部とは相互に隣接して位置付けられ、相互に隣接する後部フレームの各々の該他側縁部と、対応する側部フレームの該後端部の各々の一部間は、連結手段により解除自在に連結される、ことが好ましい。
【００１１】
【発明の実施の形態】
以下、図１〜図１８を参照して、本発明に従って構成された折畳式屋台店構造体の実施形態について詳細に説明する。
【００１２】
先ず図１及び図２を参照して、図示の折畳式屋台店構造体１００は、一対の台フレーム１０と、一対の支柱フレーム２０と、４個のブレース３０と、一対の側部フレーム４０と、一対の後部フレーム５０と、一対の屋根フレーム６０と、一対の補助屋根フレーム８０とから構成されている。
【００１３】
一対の台フレーム１０は、相互に実質的に同じ構成及び大きさを有するので、その一方について説明する。図１、図２と共に図１０を参照して、台フレーム１０は、矩形状をなすよう連結された４個の梁部材１１（１１ａ、１１ｂ、１１ｃ及び１１ｄ）と、１個の中間梁部材１２とから一体に構成されている。中間梁部材１２は、横方向（図１及び図１０において左右方向、図２において表裏方向）に対向する一対の梁部材１１ｃ及び１１ｄにおける、前後方向（図１及び図１０において上下方向、図２において左右方向）の中央間を連結するよう配置されている。なお、本明細書において、前方とは、図１において紙面の表側、図２において右方、図１０において下方を示し、後方とは、図１において紙面の裏側、図２において左方、図１０において上方を示す。梁部材１１及び１２は、横断面が相互に同じ大きさの正方形をなす金属製の角パイプから形成されている。梁部材１１ａは台フレーム１０の前端部を規定し、梁部材１１ｂは台フレーム１０の後端部を規定し、梁部材１１ｃは台フレーム１０の一側縁部を規定し、梁部材１１ｄは台フレーム１０の他側縁部を規定している。梁部材１１ａ〜１１ｄの表面は、台フレーム１０の表面（図１及び図２において上面、図１０において紙面の表側の面）を規定し、かつ実質的に同一平面上に位置付けられている。また、梁部材１１ａ〜１１ｄの裏面は、台フレーム１０の裏面（図１及び図２において下面、図１０において紙面の裏側の面）を規定し、かつ実質的に同一平面上に位置付けられている。
【００１４】
図１４及び図１５をも参照して、台フレーム１０の他側縁部における前端部（台フレーム１０の他側縁部における前側の角部）には、支持ブラケット１３が裏面側に直角に延び出すよう固定されている。支持ブラケット１３はチャンネル形状をなす板部材から形成されている。チャンネル形状をなす支持ブラケット１３の開放側は台フレーム１０の一側縁方向に向けられ、またその溝部は、平面から見て、梁部材１１ａの他端の三方を囲むよう位置付けられている。支持ブラケット１３の、相互に対向する両側壁には共通の軸線を有する連結孔１３ａが形成されている。台フレーム１０の他側縁部における後端部（台フレーム１０の他側縁部における後側の角部）にも、実質的に同じ支持ブラケット１３が、上記と同様にして、裏面側に直角に延び出すよう固定されている。支持ブラケット１３の各々は、後述する支持フレーム２０を旋回自在に連結するために設けられている。
【００１５】
台フレーム１０の他側縁部にはまた、一対の支持ブラケット１４が、表面側に直角に延び出すよう固定されている。支持ブラケット１４はチャンネル形状をなす板部材から形成されている。チャンネル形状をなす支持ブラケット１４の開放側は台フレーム１０の他側縁方向に向けられている。支持ブラケット１４の、相互に対向する両側壁には共通の軸線を有する連結孔が形成されている。支持ブラケット１４の一方は、台フレーム１０の他側縁部における後端部に配置され、支持ブラケット１４の一方は、台フレーム１０の他側縁部における中央よりも後方であって中央に近い位置に配置されている。支持ブラケット１４の各々は、後述する側部フレーム４０を旋回自在に連結するために設けられている。
【００１６】
台フレーム１０の後端部における一側縁部及び他側縁部（台フレーム１０の後端部における両角部）には、支持ブラケット１５が、表面側に直角に延び出すよう固定されている。支持ブラケット１５の各々はチャンネル形状をなす板部材から形成されている。チャンネル形状をなす支持ブラケット１５の各々の開放側は台フレーム１０の前方に向けられている。支持ブラケット１５の各々の、相互に対向する両側壁の上端部には共通の軸線を有する連結孔が形成されている。台フレーム１０の後端部における他側縁部側の支持ブラケット１５は、支持ブラケット１４の一方よりも更に後方の最後端部に配置され、また、台フレーム１０の後端部における一側縁部側の支持ブラケット１５は、台フレーム１０の最後端部に配置されている。支持ブラケット１５の各々は、前記支持ブラケット１４よりも長く（高く）形成され、したがって支持ブラケット１５の各々の連結孔の位置は、前記支持ブラケット１４の各々の連結孔の位置よりも高い位置に存在する。支持ブラケット１５の各々は、後述する後部フレーム５０を旋回自在に連結するために設けられている。
【００１７】
以上のように構成された台フレーム１０の各々の一側縁部における前端部間及び後端部間は、ヒンジ手段を構成する一対のヒンジ７０を介して旋回可能に連結されている（図１においては前端部に配置された１個のヒンジ７０のみが図示されている）。図１１〜図１３を参照して、ヒンジ７０は、一対のヒンジ部材７１及び７２と、旋回軸を構成する連結ピン７３とを備えている。板部材から形成されているヒンジ部材７１及び７２は、図１１及び図１２に示す正面から見て、実質的に左右対称形状をなしかつ全体としてほぼ直角三角形をなしている。ヒンジ部材７１及び７２は、横断面が、下方に開放されたチャンネル形状をなし、上記正面から見て、相互に対向する鉛直端面の下端部には、半円形状の突出部が形成されている。ヒンジ部材７１及び７２の突出部には、それぞれ共通の軸線を有する連結孔が形成されている。ヒンジ部材７２の側壁間には、連結孔と共通の軸線を有する円筒部材７２ａが固定されている。円筒部材７２ａの内径は連結孔よりもわずかに大きく形成されている。ヒンジ部材７２の最大幅（図１１及び図１２において紙面の表裏方向の幅）は、ヒンジ部材７１の内側幅（チャンネル形状を形成する両側壁間の間隔）よりもわずかに狭く形成されている。
【００１８】
台フレーム１０の各々の一側端面を規定する梁部材１１ｃの各々の一側端面が相互に密着又はわずかの隙間をおいて対向するよう位置付けられた状態で、ヒンジ部材７１の各々は、図１１において左側の台フレーム１０における梁部材１１ａ及び１１ｂの一側縁部（この部分も左側の台フレーム１０の一側縁部を規定する）の裏面に固定され、ヒンジ部材７２の各々は、図１１において右側の台フレーム１０における梁部材１１ａ及び１１ｂの一側縁部（この部分も右側の台フレーム１０の一側縁部を規定する）の裏面に固定される。ヒンジ部材７１及び７２の各々の鉛直端面は相互に密着又はわずかの隙間をおいて対向するよう位置付けられ、ヒンジ部材７２の各々の突出部は、対応するヒンジ部材７１の各々の突出部内に相対移動可能に嵌合させられる。ヒンジ部材７１及び７２の各々の連結孔及びヒンジ部材７２の円筒部材７２ａには頭付きの連結ピン７３が嵌合され、連結ピン７３に嵌合された抜け止めリング７４により連結ピン７３の抜けが防止されている。台フレーム１０の各々は、各々の裏面が相互に対向する折畳位置（図３参照）と、各々の表面が実質的に同一平面上に位置付けられる使用位置（図１、図５，図６、図９及び図１１参照）との間を旋回しうるよう、各々の一側縁部がヒンジ７０の各々を介して相互に連結される。
【００１９】
次に一対の支柱フレーム２０について説明する。一対の支柱フレーム２０は、相互に実質的に同じ構成及び大きさを有するので、その一方について説明する。図１及び図２を参照して、支柱フレーム２０は、相互に平行に延在する２個の梁部材２１ａ及び２１ｂと、梁部材２１ａ及び２１ｂの、図２における下端部間を連結するよう配置された１個の連結梁部材２２とから一体に構成されている。梁部材２１ａ及び２１ｂは、横断面が相互に同じ大きさの正方形をなす金属製の角パイプから形成されている。連結梁部材２２は、横断面が円形をなす金属製の丸パイプから形成されている。梁部材２１ａ及び２１ｂは、台フレーム１０の各々を構成する梁部材１１及び１２と横断面が同形かつ同じ大きさの角パイプから形成されている。図１４及び図１５をも参照して、梁部材２１ａ（図１４及び図１５においては梁部材２１ａのみを示す）及び２１ｂの一端部は、台フレーム１０に固定された前記支持ブラケット１３に連結ピン２３を介して旋回可能に連結されている。図１５において、番号２４は、連結ピン２３に嵌合された抜け止めリングを示している。上記のように構成された支柱フレーム２０の各々は、台フレーム１０の各々の裏面に沿って延在する折畳位置（図３〜図５参照）と、台フレーム１０の各々の他側縁部から裏面側に実質的に直角に延び出す使用位置（図１、図２、図６〜図９参照）との間を旋回しうるよう各々の一端部（梁部材２１ａ及び２１ｂの一端部）が、台フレーム１０の各々の他側縁部（他側縁部に固定された支持ブラケット１３）に旋回自在に連結される。
【００２０】
支柱フレーム２０の各々の他端部における前端部及び後端部、更に具体的には、支柱フレーム２０の各々の梁部材２１ａ及び２１ｂの他端部には、それぞれ、支柱フレーム２０の各々が使用位置に位置付けられた状態で載置面に直接載置される支持部材２５が分離自在にねじ係合されている。支持部材２５の各々は、円板状のベースと、雄ねじが形成されかつベースの中央から直立するロッドとから構成されている。支柱フレーム２０の各々の梁部材２１ａ及び２１ｂの他端部内には雌ねじが形成された連結部材が固定されている。支持部材２５の各々は、ロッドの雄ねじが梁部材２１ａ及び２１ｂの連結部材の雌ねじにねじ係合されることにより、梁部材２１ａ及び２１ｂの他端部に連結される。支持部材２５の各々を回転させることにより、梁部材２１ａ及び２１ｂの全長、すなわち支柱フレーム２０の各々の全長が調整される。このような構成により、後述するとおりにして支柱フレーム２０の各々を介して載置面に支持された台フレーム１０の各々の表面を水平に調整することが容易に可能となる。
【００２１】
図１及び図２を参照して、支柱フレーム２０の各々の前面部及び後面部、更に具体的には、梁部材２１ａの各々の前面部及び及び梁部材２１ｂの各々の後面部には、それぞれブレース３０の一端部が旋回可能に連結されている。梁部材２１ａの各々の前面部に連結されたブレース３０の各々の他端部は、対応する台フレーム１０の前端部に離脱自在に連結しうるよう構成され、また、梁部材２１ｂの各々の後面部に連結されたブレース３０の各々の他端部は、対応する台フレーム１０の後端部に離脱自在に連結しうるよう構成されている。ブレース３０の各々の構成及び連結部の構成はそれぞれ実質的に同じであるので、以下、図１において右側の台フレーム１０の前端部と梁部材２１ａとの間を連結することができるブレース３０の構成及び連結部の構成について説明する。
【００２２】
ブレース３０は、細長い帯状の板部材から構成されかつ、一端部に形成された図示しない取付孔と、一端部近傍から他端部まで長手方向に延在するスリット３１とを備えている。ブレース３０の他端部はほぼＬ形状をなし、スリット３１の他端部もほぼＬ形状をなしている。ブレース３０は、梁部材２１ａの中間部における前面部に頭付きのピン３２を介して旋回可能に連結されている。台フレーム１０の前端部を規定する梁部材１１ａの裏面（図１において下面）には、支持ブラケット３３が固定されている。支持ブラケット３３は、梁部材１１ａの前面よりも前方位置において下方に延び出す支持壁を備えており、この支持壁には図示しない雌ねじが形成されている。台フレーム１０と支柱フレーム２０とがそれぞれ使用位置に位置付けられた状態で、ブレース３０のスリット３１の他端部は、支持ブラケット３３の支持壁に形成された上記雌ねじに整合するよう、支持壁の外側（前側）に位置付けられ、頭付きのねじ部材３４（図１においては、頭部を省略して示されている）により離脱自在に連結される。台フレーム１０と支柱フレーム２０とはそれぞれ使用位置にしっかりと保持される。
【００２３】
上記頭付きのねじ部材を支持ブラケット３３の支持壁から分離させることにより、支柱フレーム２０は台フレーム１０に対し折畳位置に旋回させることが可能になる。支柱フレーム２０が折畳位置に位置付けられた状態において、支柱フレーム２０の梁部材２１ａは、台フレーム１０の裏面、更に具体的には梁部材１１ａの裏面の下方を、該裏面に間隔をおいて平行に延在するよう位置付けられる。梁部材２１ａはまた、支持ブラケット３３の支持壁の後方に隙間をおいて位置付けられる。この状態で、ブレース３０をピン３２まわりに旋回させると、ブレース３０は、支持ブラケット３３の支持壁の前方に隙間をおいて、梁部材２１ａに平行に延在するよう位置付けられる。ブレース３０のスリット３１の一端部が支持ブラケット３３の支持壁の上記雌ねじに整合するよう位置付けられるので、上記頭付きのねじ部材３４を上記雌ねじに係止することにより、ブレース３０は、台フレーム１０の梁部材１１ａに解除自在に固定される（図５参照）。なお図５においても、ねじ部材３４の頭部は、省略して示されている。支柱フレーム２０は梁部材２１ａを介して折畳位置に保持される。
【００２４】
上記のような作用は、ピン３２の梁部材２１ａの前面からの突出量及び支持ブラケット３３の支持壁の配置により容易に可能である。更にはまた、梁部材２１ａの旋回中心である前記支持ブラケット１３の連結孔１３ａ又は連結ピン２３（図１４及び図１５参照）の軸心から支持ブラケット３３の支持壁の上記雌ねじの軸心までの距離を、梁部材２１ａの上記旋回中心から梁部材２１ａのピン３２の軸心までの距離（旋回半径）よりも大きく設定することにより容易に可能である。上記のように構成されたブレース３０の各々は、台フレーム１０の各々の前端部及び後端部に沿って延在する折畳位置（図３〜図５参照）と、支持フレーム２０を使用位置に解除自在に固定する使用位置（図１、図６及び図９参照）とに選択的に位置付けられるよう、支柱フレーム２０の各々の前面部及び後面部に連結されている。なお、上記構成に代えて、ブレース３０の各々を、台フレーム１０の各々の前端部及び後端部に連結する他の実施形態も成立する。
【００２５】
次に一対の側部フレーム４０について説明する。一対の側部フレーム４０は、相互に実質的に同じ構成及び大きさを有するので、その一方について説明する。図１及び図２を参照して、側部フレーム４０は、相互に平行に延在する２個の梁部材４１（４１ａ及び４１ｂ）と、梁部材４１ａ及び４１ｂ間を連結するよう配置された３個の連結梁部材４２（４２ａ、４２ｂ及び４２ｃ）とから一体に構成されている。梁部材４１及び４２は、横断面が相互に同じ大きさの正方形をなす金属製の角パイプから形成されている。梁部材４１及び４２は、台フレーム１０の各々を構成する梁部材１１及び１２と横断面が同形かつ同じ大きさの角パイプから形成されている。梁部材４１ａの長さは梁部材４１ｂよりも長く形成されている。連結梁部材４２ａは、短い方の梁部材４１ｂの頂部と梁部材４１ａの上端部寄りの部分とを連結し、連結梁部材４２ｂ及び４２ｃは、連結梁部材４２ａの、図２において下方に間隔をおいて配置されている。梁部材４１ａは梁部材４１ｂの頂部から図２において上方に、長さの差だけ延び出している。
【００２６】
図１８をも参照して、梁部材４１ａの頂部には受け部４３が設けられている。受け部４３は横断面がチャンネル形状をなす板部材から構成され、溝の底部４３ａが長い方の梁部材４１ａの頂部に固定され、その開放側は、図１、図２及び図１８において上方に向けられている。受け部４３の底部４３ａは、図２及び図１８において、左から右に向かって（台フレーム１０の後方から前方に向かって）上方に傾斜するよう構成されている。このような構成により、後述するとおりにして使用位置に位置付けられた屋根フレーム６０は、水平ではなく、台フレーム１０の後方から前方に向かって上方に傾斜するよう側部フレーム４０に支持される。図２に示すように、梁部材４１ａ及び４１ｂの一端部（図１及び図２において下端部）は、台フレーム１０に固定された前記支持ブラケット１４に連結ピン４４を介して旋回可能に連結されている。上記のように構成された側部フレーム４０の各々は、台フレーム１０の各々の表面に沿って延在する折畳位置（図３〜図８参照、図９において実線で示される位置参照）と、台フレーム１０の各々の他側縁部から表面側に実質的に直角に延び出す使用位置（図１及び図２参照、図９において２点鎖線で示される位置参照）との間を旋回しうるよう、一端部が台フレーム１０の各々の他側縁部に旋回自在に連結されている。
【００２７】
次に一対の後部フレーム５０について説明する。一対の後部フレーム５０は、相互に実質的に同じ構成及び大きさを有するので、その一方について説明する。図１、図２及び図１６を参照して、後部フレーム５０は、相互に平行に延在する３個の梁部材５１（５１ａ、５１ｂ及び５１ｃ）と、梁部材５１ａ、５１ｂ及び５１ｃを相互に連結するよう配置された２個の連結梁部材５２（５２ａ及び５２ｂ）とから一体に構成されている。梁部材５１ａ、５１ｂ及び５１ｃと連結梁部材５２ｂとは、横断面が相互に同じ大きさの正方形をなす金属製の角パイプから形成されている。これらは、台フレーム１０の各々を構成する梁部材１１及び１２と横断面が同形かつ同じ大きさの角パイプから形成されている。連結梁部材５２ａは横断面が円形の丸パイプから形成されている。連結梁部材５２ａは、梁部材５１ａ、５１ｂ及び５１ｃの、図１６において上端間を連結するよう配置され、連結梁部材５２ｂは、梁部材５１ａ及び５１ｃの、図１６において下端よりも所定の距離だけ上方の下端部間を連結するよう配置されている。梁部材５１ｂの上端は、連結梁部材５２ａの中央に連結されるよう配置され、梁部材５１ｂの下端は、連結梁部材５２ｂの中央に連結されるよう配置されている。
【００２８】
梁部材５１ａ、５１ｂ及び５１ｃの上端部における、図２において右面（台フレーム１０の前方側の面）には、それぞれ支持ブラケット５３が固定されている。支持ブラケット５３の各々は横断面がチャンネル形状をなす板部材から構成され、各々の開放側は、台フレーム１０の前方に向けられている。支持ブラケット５３の各々のチャンネル形状を構成する両側壁には共通の軸線を有する図示しない連結孔が形成されている。支持ブラケット５３の各々は、後述する屋根フレーム６０を旋回自在に連結するために設けられている。図１及び図２に示すように、梁部材５１ａ及び５１ｃの一端部は、台フレーム１０に固定された前記支持ブラケット１５に連結ピン５４を介して旋回可能に連結されている。なお、図１６において、一点鎖線は梁部材５１ａ及び５１ｃの一端部に形成された連結孔の軸線を示している。上記のように構成された後部フレーム５０の各々は、台フレーム１０の各々の表面に沿って延在する折畳位置（図３、図４、図５及び図７参照、図６において実線で示される位置参照）と、後部フレーム５０の各々の後端部から表面側に実質的に直角に延び出す使用位置（図１、図２及び図８参照、図６及び図７において２点鎖線で示される位置参照）との間を旋回しうるよう、一端部が台フレーム１０の各々の後端部に旋回自在に連結されている。
【００２９】
次に一対の屋根フレーム６０について説明する。一対の屋根フレーム６０は、相互に実質的に同じ構成及び大きさを有するので、その一方について説明する。図１、図２及び図１７を参照して、屋根フレーム６０は、相互に平行に延在する３個の梁部材６１（６１ａ、６１ｂ及び６１ｃ）と、梁部材６１ａ、６１ｂ及び６１ｃを相互に連結するよう配置された４個の連結梁部材６２（６２ａ、６２ｂ、６２ｃ及び６２ｄ）とから一体に構成されている。梁部材６１及び６２の各々は、横断面が相互に同じ大きさの円形をなす金属製の丸パイプから形成されている。連結梁部材６２ａは、梁部材６１ａと６１ｂの、図１７において上端間を連結するよう配置され、連結梁部材６２ｂは、梁部材６１ｂと６１ｃの、図１７において上端間を連結するよう配置されている。連結梁部材６２ａ及び６２ｂは同軸上に配置されている。連結梁部材６２ｃは、梁部材６１ａと６１ｂの中央部間を連結するよう配置され、連結梁部材６２ｄは、梁部材６１ｂと６１ｃの中央部間を連結するよう配置されている。連結梁部材６２ｃ及び６２ｄは同軸上に配置されている。なお、図１７に示す屋根フレーム６０において、一点鎖線は梁部材６１ａ〜６１ｃの一端部及び他端部に形成された連結孔の軸線を示している。
【００３０】
図２に示すように、梁部材６１ａ、６１ｂ及び６１ｃの一端部（図１７において下端部）は、後部フレーム５０の上記支持ブラケット５３に連結ピン６４を介して旋回可能に連結されている。上記のように構成された屋根フレーム６０の各々は、後部フレーム５０の各々の前面に沿って延在する折畳位置（図３、図４、図５、図７及び図８参照、図６において実線で示される位置参照）と、後部フレーム５０の各々の他端部から前面側に延び出す使用位置（図１及び図２参照、図８において２点鎖線で示される位置参照）との間を旋回しうるよう、一端部が後部フレーム５０の各々の他端部に旋回自在に連結されている。
【００３１】
なお図示の実施形態において、屋根フレーム６０の各々の一端部は、後部フレーム５０の各々の前面に配置された支持ブラケット５３に連結されているので、、各々の折畳位置は、後部フレーム５０の各々の前面に沿って延在するよう規定されているが、これに代えて、後部フレーム５０の各々の後面に支持ブラケットを配置して、屋根フレーム６０の各々の一端部をこれらの支持ブラケットに旋回自在に連結する他の実施形態もありうる。この実施形態においては、屋根フレーム６０の各々の折畳位置は、後部フレーム５０の各々の後面に沿って延在するよう規定される。この実施形態においては、後部フレーム５０の各々を使用位置に旋回させるための旋回半径が上記実施形態に較べて大きくなるが、本発明の特徴は確保される。
【００３２】
次に一対の補助屋根フレーム８０について説明する。一対の補助屋根フレーム８０は、相互に実質的に同じ構成及び大きさを有するので、その一方について説明する。図１、図２及び図１７を参照して、補助屋根フレーム８０は、相互に平行に延在する３個の梁部材８１（８１ａ、８１ｂ及び８１ｃ）と、梁部材８１ａ、８１ｂ及び８１ｃを相互に連結するよう配置された１個の連結梁部材８２とから一体に構成されている。梁部材８１及び８２の各々は、横断面が相互に同じ大きさの円形をなす金属製の丸パイプから形成されている。連結梁部材８２は、梁部材８１ａ、８１ｂ及び８１ｃの、図１７において上端間を連結するよう配置されている。梁部材８１ａ、８１ｂ及び８１ｃは、屋根フレーム６０の梁部材６１ａ、６１ｂ及び６１ｃ内に摺動自在に挿入されている。なお、図１７に示す補助屋根フレーム８０において、一点鎖線は梁部材８１ａ〜８１ｃの先端部に形成された連結孔の軸線を示している。上記のように構成された補助屋根フレーム８０の各々は、屋根フレーム６０の各々内に実質的に収納される収納位置（図７及び図８参照）と、屋根フレーム６０の各々の他端から各々の延長方向に延び出す使用位置（図１及び図２参照）との間を移動自在に装着されている。
【００３３】
図３を参照して、本発明による折畳式屋台店構造体１００の折畳状態について説明する。台フレーム１０の各々の裏面側においては、支持フレーム２０の各々がブレース３０の各々と共に折畳位置に位置付けられる。台フレーム１０の各々の表面側において、側部フレーム４０が折畳位置に位置付けられた状態で、折畳位置に位置付けられた屋根フレーム６０と共に後部フレーム５０が側部フレーム４０に重合して折畳位置に位置付けられる。この状態で、台フレーム１０の各々が折畳位置に位置付けられる。このようにして、折畳式屋台店構造体１００は、全体としてほぼ直方体形状となるようにコンパクトに折り畳まれてユニット化されるので、運搬あるいは移動が容易となる。また、保管及び取扱いが著しく容易となる。支柱フレーム２０、側部フレーム４０、補助屋根フレーム８０が収納位置に位置付けられた屋根フレーム６０、後部フレーム５０の各々が折畳位置に位置付けられた状態で、ブレース３０、支柱フレーム２０、側部フレーム４０、屋根フレーム６０（含む補助屋根フレーム８０）、後部フレーム５０の各々を、台フレーム１０の各々の周縁から実質的に突出しないような大きさに形成することによって、上記折畳形状が最小限にコンパクトとなり、上記効果は更に向上する。なお、上記したコンパクトな折畳形状が実質的に確保できる範囲であれば、台フレーム１０の各々の周縁からある程度の突出があっても本発明の目的は達成されることは明らかであり、その程度の突出は許容される。したがって、台フレーム１０の各々の周縁から実質的に突出しないような大きさとは、上記した程度の突出を含むものである。また、台フレーム１０の各々を実質的に同じ大きさの矩形状に形成することにより、上記効果は更に向上する。
【００３４】
台フレーム１０の各々の他側縁部に、少なくとも１個の車輪部材９０を該他側縁部から側方に突出するよう離脱自在に配設することが好ましい。更に具体的には、台フレーム１０の各々の他側縁部に固定された上記支持ブラケット１５の各々の側部あるいは梁部材１１ｄの各々の側部に、少なくとも１個の車輪部材９０を分離自在にねじ係合させることが好ましい。このような構成により、上記のようにほぼ直方体に折り畳まれた折畳式屋台店構造体１００は、車輪部材９０の各々を介して載置面上に移動自在に載置されるので、容易に移動させることが可能になり、実用上きわめて便利となる。台フレーム１０の各々において少なくとも１個の車輪部材９０をキャスタから構成した場合には、上記移動が更に容易となる。
【００３５】
ブレース３０、支柱フレーム２０、側部フレーム４０、補助屋根フレーム８０が収納位置に位置付けられた屋根フレーム６０、後部フレーム５０及び台フレーム１０の各々が折畳位置に位置付けられた状態で、台フレーム１０の各々の他側縁部間を連結手段９２により解除自在に連結するよう構成した場合には、折畳式屋台店構造体１００の上記折畳状態が保持され、運搬あるいは移動が更に容易となる。また、保管及び取扱いが著しく容易となる。解除自在な連結手段９２としては、フック付きのチェーン、フック付きの弾性を有するひも部材、針金等、それ自体は周知の部材を適宜に選定すればよい。
【００３６】
上記折畳式屋台店構造体１００は、一対の台フレーム１０、一対の支柱フレーム２０、ブレース３０、一対の側部フレーム４０、一対の後部フレーム５０及び一対の屋根フレーム６０とから一体に構成されているので、全体がユニット化され、部品点数が少なく、運搬あるいは移動が容易である。また、保管及び取扱いが容易となる。更にはまた、重量が軽く、低コストで製造することを可能にするものである。上記折畳式屋台店構造体１００において、台フレーム１０、支柱フレーム２０、側部フレーム４０、後部フレーム５０及び屋根フレーム６０の各々は、複数個のパイプ部材を連結することにより一体に構成されているので、重量がより軽く、より低コストで製造することが可能になる。
【００３７】
上記実施形態においては、ブレース３０が支柱フレーム２０の各々に一体に連結されているが、ブレース３０を単品として別に用意しておき、折畳式屋台店構造体１００の設置時に装着する他の実施形態もある。この実施形態においては、ユニット化という面で上記実施形態よりも不利ではあるが、部品点数としてはわずか４個であり、従来の屋台店に比較すれば、トータル的に格段の優位性が確保される。上記実施形態においてはまた、屋根フレーム６０に補助屋根フレーム８０が装着されているが、これにより屋根のスペースを必要に応じて適宜に調整可能であり、実用上便利である。しかしながら補助屋根フレーム８０を使用しない、更に軽量化された実施形態もありうる。
【００３８】
屋台店の設置場所において、上記折畳式屋台店構造体１００を図３に示す折畳状態から使用状態とする場合には、先ず、連結手段９２を取り外し、台フレーム１０の各々間の連結状態を解除する。車輪部材９０の各々を取り外した後、各フレームが折り畳まれた台フレーム１０の各々をヒンジ７０まわりに旋回させ（図４参照）、そして使用位置に位置付ける（図５の実線で示される状態参照）。折畳式屋台店構造体１００はこの状態で載置面に載置される。次いで、台フレーム１０の各々において、後部フレーム５０を旋回させて使用位置に直立させる（図６及び図７において２点鎖線で示される位置参照、図８において実線で示される位置参照）。次に、屋根フレーム６０を旋回させて使用位置よりも上方に位置付けた後（図８において２点鎖線で示される位置よりも上方の位置）、側部フレーム４０を旋回させて使用位置に位置付ける（図９において２点鎖線で示される位置参照）。次いで屋根フレーム６０を下方に旋回させることにより、屋根フレーム６０の一部である梁部材６１ａを側部フレーム４０の受け部４３に嵌合させて支持させる（図１及び図２参照）。このように、旋回操作のみで、台フレーム１０の各々の表面上に、後部フレーム５０、屋根フレーム６０及び側部フレーム４０が容易に組み立てられる。このような作業は、台フレーム１０の各々を載置面に載置した状態で遂行できるので、労力の負担も少なく、容易かつ迅速に行なわれる。
【００３９】
屋根フレーム６０の各々の該一部が、対応する側部フレーム４０の受け部４３に離脱自在に受け入れられて支持された状態で、屋根フレーム６０の各々の該一部と、対応する側部フレーム４０の受け部４３との間を、連結手段、例えばボルト＆ナット９３（図１及び図２参照）により解除自在に連結することが好ましい。受け部４３の両側壁と屋根フレーム６０の該一部（梁部材６１ａ）に連結孔を形成しておくことにより、上記連結は容易に可能となる。この構成により、側部フレーム４０、後部フレーム５０及び屋根フレーム６０の各々は、安定して台フレーム１０の各々上に支持される。
【００４０】
図１に示されているように、後部フレーム５０の各々が使用位置に位置付けられた状態で、後部フレーム５０の各々の一側縁部（梁部材５１ａ）は相互に隣接して位置付けられる。そして、相互に隣接する該一側縁部の一部間を、連結手段により解除自在に連結することが好ましい。連結手段は、相互に隣接する梁部材５１ａに固定された、チャンネル形状をなす当て部材９４と、ボルト＆ナット９５とから構成することができる。当て部材９４の各々の開放側が角パイプからなる梁部材５１ａの各々の対向面に固定され、当て部材９４の各々の背面が相互に当接され、ボルト＆ナット９５により締結される。この構成により、側部フレーム４０、後部フレーム５０及び屋根フレーム６０の各々は、更に安定して台フレーム１０の各々上に支持される。
【００４１】
図２に示されているように、後部フレーム５０の各々及び側部フレーム４０の各々が使用位置に位置付けられた状態で、後部フレーム５０の各々の他側縁部（梁部材５１ｃ）と、対応する側部フレーム４０の後端部（梁部材４１ｂ）とは相互に隣接して位置付けられる。そして、相互に隣接する後部フレーム５０の各々の該他側縁部と、対応する側部フレーム４０の該後端部の各々の一部間を、連結手段により解除自在に連結することがことが好ましい。連結手段は、側部フレーム４０の各々の梁部材４１ｂに固定された、チャンネル形状をなす当て部材９６と、ボルト＆ナット９７とから構成することができる。当て部材９６の開放側が角パイプからなる梁部材４１ｂの後面に固定され、当て部材９６の背面が角パイプからなる梁部材５１ｃに当接され、ボルト＆ナット９７により締結される。この構成により、側部フレーム４０、後部フレーム５０及び屋根フレーム６０の各々は、更に安定して台フレーム１０の各々上に支持される。
【００４２】
次いで、補助屋根フレーム８０の各々を、屋根フレーム６０から引き出して使用位置に位置付ける（図２参照）。屋根フレーム６０の各々の梁部材６１ａ〜６１ｃの先端部及び補助屋根フレーム８０の各々の梁部材８１ａ〜８１ｃの先端部に、補助屋根フレーム８０の各々が使用位置に位置付けられた状態で相互に整合する取付孔９８を形成しておき、それぞれ図示しないボルト＆ナットにより締結することが好ましい。この構成により、補助屋根フレーム８０の各々は、対応する屋根フレーム６０に安定して保持される。また補助屋根フレーム８０の各々の、相互に隣接する梁部材８１ａ間を図示しないボルト＆ナットにより締結することにより、補助屋根フレーム８０の各々全体が、対応する屋根フレーム６０に更に安定して保持される。台フレーム１０の各々の表面側に、後部フレーム５０、側部フレーム４０、屋根フレーム６０及び補助屋根フレーム８０の各々がセットされた状態で、別に用意した図示しない適宜のシート部材を分離自在に被せることにより、容易に屋根、側壁等を完成させることができる。
【００４３】
以上のとおりにして、台フレーム１０の各々の表面側に各フレームが使用位置に位置付けられた後、一方の台フレーム１０の他側縁部を持ち上げ、一方の台フレーム１０の支柱フレーム２０を使用位置に位置付けてブレース３０で固定する。そして他方の台フレーム１０の他側縁部を持ち上げ、他方の台フレーム１０の支柱フレーム２０を使用位置に位置付けてブレース３０で固定する（図１及び図２参照）。台フレーム１０の各々上に、別に用意した図示しないパネルを適宜に載置することにより屋台店を実質的に完成させることができる。台フレーム１０の各々の表面の水平度は、支柱フレーム２０の各々の支持部材２５を回転させることにより容易に調整することができる。また、図２において２点鎖線で示されているように、後部フレーム５０の梁部材５１ａ〜５１ｃに、適宜に構成された棚部材９９を分離自在に装着することも容易に可能である。
【００４４】
上記のようにして設置された屋台店を撤去する場合には、先に述べた設置作業とは逆の手順で、折畳作業を順次行うことにより、図３に示すように全体を大型のトランクの如くコンパクトに折り畳むことができる。先の説明から容易に理解されるように、セットされた折畳式屋台店構造体の折畳作業は、従来に比較して、ボルト＆ナットによる分解作業が激減され、ユニット化された主要な構成部材は、旋回作業によって簡単に折り畳まれるので、折畳作業に要する労力及び時間は著しく低減される。その結果、屋台店の撤去作業を、従来に較べて著しく容易かつ迅速に行なうことが可能になり、実用上有用である。
【００４５】
折畳式屋台店構造体１００は、上記した基本的構成を有しているが、簡単にオプション仕様に発展させることができる。例えば、図１を参照して、台フレーム１０の各々のスペースを図１において左右方向に拡大したい場合には、台フレーム１０の各々に図示しない補助台フレームを分離自在に装着することができる。以下に、その実施形態を図示しないで説明する。図１及び図１０を参照して、図１及び図１０において右側の台フレーム１０の上記他側縁部における、梁部材１１ａ、１２及び１１ｂの各々の延長上に、それぞれ共通の軸線を有する円形の連結孔を形成する。補助台フレームは、相互に平行に延在する３個の梁部材と、梁部材の一端間を連結する連結梁部材とから構成される。これらの梁部材は丸パイプから形成される。補助台フレームの３個の梁部材の他端部は上記台フレーム１０の上記連通孔から梁部材１１ａ、１２及び１１ｂ内に分離自在に挿入され、ボルト＆ナットにより解除自在に連結される。このようにして、上記台フレーム１０に補助台フレームを離脱自在に装着することができる。また同じ台フレーム１０の、図１において右側の後部フレーム５０における右端に位置する梁部材５１ｃ（図１６参照）に、上記実施形態に示すような、屋根フレームが折畳可能に連結された後部フレームを旋回自在にかつ分離自在にヒンジを介して装着すれば、補助台フレームの後端に容易に位置付けかつ解除自在に連結することができる。この後部フレームの、該ヒンジから最も離れた梁部材の下端部に、開放側が水平方向に向けられかつ上下方向に間隔をおいて対向するチャンネル形の保持部を形成し、この保持部を梁部材１１ｂに挿入された補助台フレームの梁部材の側方から離脱自在に嵌合させ、更に解除自在に連結することにより、後部フレームを補助台フレームに解除自在に連結することができる。この後部フレームは、上記台フレーム１０の後部に重なるよう旋回させることで、折畳状態とすることが可能になる。他の台フレーム１０についても、上記のとおりにして、補助台フレーム及び後部フレームを分離自在に装着することが容易に可能である。なお、後部フレームはヒンジを介して上記後部フレーム５０の後側に重合させる形態で折り畳むことができるので、屋台店を撤去する場合において、上記後部フレーム５０から分離しなくともよい。
【００４６】
本発明による折畳式屋台店構造体によれば、従来の如く、相互に分離された多くの単品から構成されているのではなく、それぞれがユニット化された少ない構成部材を旋回動作を主体として屋台店の設置作業及び撤去作業を行なうことができる。その結果、従来に較べて、屋台店を著しく迅速かつ容易に設置しかつ著しく迅速かつ容易に撤去することを可能にし、実用上有用である。上記説明から明らかなように、本発明による折畳式屋台店構造体においては、ボルト＆ナット等の連結具は、従来に較べて激減され、従来の如き煩雑な組立作業及び分解作業が解消されるので、多くの時間と労力が節約される。
【００４７】
【発明の効果】
本発明による折畳式屋台店構造体によれば、屋台店を迅速かつ容易に設置しかつ迅速かつ容易に撤去することを可能にする。また、部品点数が少なく、運搬あるいは移動が容易である。更にはまた、重量が軽く、低コストで製造することを可能にする。更にはまた、保管及び取扱いが容易である。
【図面の簡単な説明】
【図１】本発明に従って構成された折畳式屋台店構造体の実施形態の設置状態を示す正面概略図。
【図２】図１に示す折畳式屋台店構造体を図１において左方から見た側面概略図。
【図３】図１に示す折畳式屋台店構造体の折畳状態を示す正面概略図。
【図４】図１に示す折畳式屋台店構造体を折畳状態から設置状態に展開する過程における一つの展開状態を示す正面概略図。
【図５】前記過程における他の展開状態を示す正面概略図。
【図６】前記過程における更に他の展開状態を示す正面概略図。
【図７】前記過程における更に他の展開状態を示す側面概略図であって、一部を省略して示す側面概略図。
【図８】前記過程における更に他の展開状態を示す側面概略図であって、一部を省略して示す側面概略図。
【図９】前記過程における更に他の展開状態を示す正面概略図であって、一部を省略して示す正面概略図。
【図１０】図１に示す折畳式屋台店構造体に含まれる一対の台フレームの平面概略図。
【図１１】図１０に示す一対の台フレーム間を連結するヒンジの実施形態を示す正面図。
【図１２】図１１に示すヒンジを分解して示す正面図。
【図１３】図１１に示すヒンジを図１１において右方から見た側面図。
【図１４】支柱フレームの連結部の一部（図１において右側手前の部分）を示す正面図。
【図１５】図１４に示す支柱フレームの連結部を、図１４において右方から見た側面図。
【図１６】図１に示す折畳式屋台店構造体に含まれる後部フレームの平面図。
【図１７】図１に示す折畳式屋台店構造体に含まれる屋根フレーム及び補助屋根フレームを分解して示す平面図。
【図１８】図１に示す折畳式屋台店構造体に含まれる側部フレームの受け部を示す側面図。
【符号の説明】
１０  台フレーム
２０  支持フレーム
３０  ブレース
４０  側部フレーム
５０  後部フレーム
６０  屋根フレーム
７０  ヒンジ
８０  補助屋根フレーム
１００  折畳式屋台店構造体
【図１】
0003676988.tif 000002
【図２】
0003676988.tif 000003
【図３】
0003676988.tif 000004
【図４】
0003676988.tif 000005
【図５】
0003676988.tif 000006
【図６】
0003676988.tif 000007
【図７】
0003676988.tif 000008
【図８】
0003676988.tif 000009
【図９】
0003676988.tif 000010
【図１０】
0003676988.tif 000011
【図１１】
0003676988.tif 000012
【図１２】
0003676988.tif 000013
【図１３】
0003676988.tif 000014
【図１４】
0003676988.tif 000015
【図１５】
0003676988.tif 000016
【図１６】
0003676988.tif 000017
【図１７】
0003676988.tif 000018
【図１８】
0003676988.tif 000019